(57)【特許請求の範囲】
【請求項１】
二輪車本体に取り付けられた子供乗せ装置であって、
子供が着席可能な座部を備えた子供乗せ装置本体と、
前記座部の前方から下方側又は斜め下方側に延びたベース部材と、
前記ベース部材に沿ってスライド可能に設けられ、前記座部に着席した子供の足が載置される足載せ部と、
前記足載せ部に操作部を備え、前記足載せ部を前記ベース部材の任意のスライド高さで固定する高さ調整手段と、
を有すると共に、
前記高さ調整手段は、
前記ベース部材に設けられた複数の被係合部と、
前記足載せ部に回転可能に設けられ、前記操作部の操作により回転すると共に前記被係合部と係合される係合部と、
前記操作部に設けられ、前記被係合部と前記係合部とが係合された状態で前記係合部の前記足載せ部に対する回転をロックするロック手段と、
を有することを特徴とする子供乗せ装置。
【請求項２】
二輪車本体に取り付けられた子供乗せ装置であって、
子供が着席可能な座部を備えた子供乗せ装置本体と、
前記座部の前方から下方側又は斜め下方側に延びたベース部材と、
前記ベース部材に沿ってスライド可能に設けられ、前記座部に着席した子供の足が載置される足載せ部と、
前記足載せ部に操作部を備え、前記足載せ部を前記ベース部材の任意のスライド高さで固定する高さ調整手段と、
を有すると共に、
前記高さ調整手段は、
前記ベース部材に設けられた複数の被係合部と、
前記足載せ部の両側に形成された取付部に回転可能に設けられ、前記操作部と連結される軸部と、
前記軸部に設けられ、前記被係合部と係合される係合部と、
前記操作部に設けられ、前記軸部の回転をロックするロック手段と、
を有することを特徴とする子供乗せ装置。
【請求項３】
前記子供乗せ装置本体は、
前記座部の後方側に設けられた背凭れ部と、
前記座部の両サイドに設けられ、かつ前記背凭れ部から両サイドへ延設された側面部と、
前記側面部の前方に設けられた前面部と、
前記前面部と前記座部との間に設けられ、前記座部に着席した子供の脚部が挿通される開口部と、を備え、
前記足載せ部は、前記子供乗せ装置本体を荷物籠として用いるときは前記ベース部材の上部にスライドさせて前記開口部を塞ぎ、前記座部に子供が着席するときは前記ベース部材の下方側へスライドさせて子供の足を載置することを特徴とする請求項１又は請求項２に記載の子供乗せ装置。
【請求項４】
前記被係合部は、前記ベース部材の裏面に格子状に形成された板材であり、
前記係合部は、前記板材と面接する平面部と、前記平面部の終端から円弧状を描き前記板材と前記板材との間へ挿入される円弧部と、を備えた長方ブロックであり、
前記高さ調整手段は、前記平面部が前記板材と面接する方向へ前記長方ブロックを回動させる付勢部材をさらに備えることを特徴とする請求項１又は請求項２に記載の子供乗せ装置。
【請求項５】
前記長方ブロックの回動中心部から延出され、前記長方ブロックと前記板材との係合が解除されたとき、前記板材の頂部に当たって前記長方ブロックの回動量を制限するストッパを有することを特徴とする請求項４に記載の子供乗せ装置。
【請求項６】
二輪車本体に取り付けられた子供乗せ装置であって、
子供が着席可能な座部を備えた子供乗せ装置本体と、
前記座部の前方から下方側又は斜め下方側に延びたベース部材と、
前記ベース部材に沿ってスライド可能に設けられ、前記座部に着席した子供の足が載置される足載せ部と、
前記足載せ部に操作部を備え、前記足載せ部を前記ベース部材の任意のスライド高さで固定する高さ調整手段と、
を有すると共に、
前記高さ調整手段は、
前記ベース部材の側部に設けられた複数の被係合孔と、
前記足載せ部の前記側部と対向する位置に設けられ、前記操作部が回動可能に支持された支持部と、
前記操作部に設けられ、前記支持部に設けられた孔部を貫通すると共に、前記被係合孔に係合可能な係合ピンと、
を有することを特徴とする子供乗せ装置。
【請求項７】
前記支持部に設けられ、前記操作部の回動を規制する規制部を備えることを特徴とする請求項６に記載の子供乗せ装置。
【請求項８】
前記高さ調整手段は、
前記ベース部材に設けられた複数の被係合部と、
前記足載せ部の両側に形成された前記支持部に回転可能に設けられ、前記操作部と連結される軸部と、
前記軸部に設けられ、前記被係合部と係合される係合部と、をさらに備え、
前記係合ピンが、前記孔部を貫通すると共に、前記被係合孔に係合されたときに、前記係合部が前記被係合部に係合され、
前記操作部が、前記規制部により回動を規制されたときに、前記係合部と前記被係合部との係合が解除されることを特徴とする請求項７に記載の子供乗せ装置。
【請求項９】
二輪車本体に取り付けられた子供乗せ装置であって、
子供が着席可能な座部を備えた子供乗せ装置本体と、
前記座部の前方から下方側又は斜め下方側に延びたベース部材と、
前記ベース部材に沿ってスライド可能に設けられ、前記座部に着席した子供の足が載置される足載せ部と、
前記足載せ部に操作部を備え、前記足載せ部を前記ベース部材の任意のスライド高さで固定する高さ調整手段と、
を有すると共に、
前記高さ調整手段は、
前記ベース部材に設けられ、２つの異なる形状の被係合手段により形成された複数の被係合手段と、
前記足載せ部に設けられ、前記操作部により操作されると共に、異なる形状の前記被係合手段にそれぞれ係合される異なる形状の２つの係合手段と、
を備え、
一方の前記係合手段が一方の形状の前記複数の被係合手段のいずれか１つに係合し、他方の前記係合手段が他方の形状の前記複数の被係合手段のいずれか１つに係合することで、任意の高さで前記足載せ部が固定されることを特徴とする子供乗せ装置。
【請求項１０】
二輪車本体に請求項１から請求項９までのいずれか１項に記載の子供乗せ装置が取り付けられていることを特徴とする二輪車。
【発明の詳細な説明】
【技術分野】
【０００１】
本発明は、子供が着席可能な子供乗せ装置、及びこの子供乗せ装置が取り付けられた二輪車に関するものである。
【背景技術】
【０００２】
従来から、子供が着座可能な幼児用座席を備えた二輪車が知られている。
【０００３】
幼児用座席には、座部を備えた主籠部材が設けられており、主籠部材の前方下部には、副籠部材が座部の前方のヒンジ部を中心に開閉可能に設けられている（特許文献１を参照）。子供が座部に着席するときは、副籠部材をヒンジ部を中心に下方側へ開放することで、子供の足を載せることができる。また、副籠部材は、下方側へ開放した後、前下方にスライドさせることで、副籠部材の位置を２段階に調整できる。
【特許文献１】特開２００６−１８２１９９号公報
【発明の開示】
【発明が解決しようとする課題】
【０００４】
しかし、上記のような幼児用座席では、副籠部材の位置を２段階に調整することができるが、子供の身長や足の位置に合わせて副籠部材をより適切な高さに段階的に調整することができない。また、副籠部材はヒンジ部で回転支持されている為、走行時に副籠部材がガタツキやすく、改善の余地がある。
【０００５】
本発明は、上記問題点に鑑みてなされたものであり、子供の身長や足の位置に合わせて子供の足が載置される足載せ部を適切な高さに調整することができる子供乗せ装置及び二輪車を提供することを目的とする。
【課題を解決するための手段】
【０００６】
上記課題を解決するために、請求項１に記載の発明は、二輪車本体に取り付けられた子供乗せ装置であって、子供が着席可能な座部を備えた子供乗せ装置本体と、前記座部の前方から下方側又は斜め下方側に延びたベース部材と、前記ベース部材に沿ってスライド可能に設けられ、前記座部に着席した子供の足が載置される足載せ部と、前記足載せ部に操作部を備え、前記足載せ部を前記ベース部材の任意のスライド高さで固定する高さ調整手段と、を有すると共に、前記高さ調整手段は、前記ベース部材に設けられた複数の被係合部と、前記足載せ部に回転可能に設けられ、前記操作部の操作により回転すると共に前記被係合部と係合される係合部と、前記操作部に設けられ、前記被係合部と前記係合部とが係合された状態で前記係合部の前記足載せ部に対する回転をロックするロック手段と、を有することを特徴としている。
【０００７】
請求項１に記載の発明では、子供乗せ装置本体には座部が設けられており、座部に子供が着席することができる。座部の前方から下方側又は斜め下方側にベース部材が延びており、子供の足が載置される足載せ部がベース部材に沿ってスライド可能に設けられている。足載せ部には操作部を備えており、操作部を操作することで高さ調整手段により足載せ部がベース部材の任意のスライド高さで固定される。これにより、足載せ部をベース部材の任意のスライド高さで固定して、座部に着席した子供の足を足載せ部に載置することができる。このため、子供の身長や足の位置に応じて、足載せ部を適切な高さに調整することができる。
また、高さ調整手段には、ベース部材に複数の被係合部が設けられており、足載せ部には、操作部の操作により回転すると共に被係合部と係合される係合部が設けられている。操作部には、被係合部と係合部とが係合された状態で係合部の足載せ部に対する回転をロックするロック手段が設けられている。これにより、係合部が被係合部に係合された状態で係合部の足載せ部に対する回転がロックされることで、足載せ部がベース部材の所定の位置で固定される。これにより、操作部の操作により、足載せ部をベース部材の任意のスライド高さに調整することができる。
【０００８】
請求項２に記載の発明は、二輪車本体に取り付けられた子供乗せ装置であって、子供が着席可能な座部を備えた子供乗せ装置本体と、前記座部の前方から下方側又は斜め下方側に延びたベース部材と、前記ベース部材に沿ってスライド可能に設けられ、前記座部に着席した子供の足が載置される足載せ部と、前記足載せ部に操作部を備え、前記足載せ部を前記ベース部材の任意のスライド高さで固定する高さ調整手段と、を有すると共に、前記高さ調整手段は、前記ベース部材に設けられた複数の被係合部と、前記足載せ部の両側に形成された取付部に回転可能に設けられ、前記操作部と連結される軸部と、前記軸部に設けられ、前記被係合部と係合される係合部と、前記操作部に設けられ、前記軸部の回転をロックするロック手段と、を有することを特徴としている。
【０００９】
請求項２に記載の発明では、子供乗せ装置本体には座部が設けられており、座部に子供が着席することができる。座部の前方から下方側又は斜め下方側にベース部材が延びており、子供の足が載置される足載せ部がベース部材に沿ってスライド可能に設けられている。足載せ部には操作部を備えており、操作部を操作することで高さ調整手段により足載せ部がベース部材の任意のスライド高さで固定される。これにより、足載せ部をベース部材の任意のスライド高さで固定して、座部に着席した子供の足を足載せ部に載置することができる。このため、子供の身長や足の位置に応じて、足載せ部を適切な高さに調整することができる。
また、高さ調整手段には、ベース部材に複数の被係合部が設けられており、足載せ部の両側に形成された取付部には、操作部と連結される軸部が回転可能に設けられている。軸部には係合部が設けられており、係合部が被係合部に係合可能となっている。操作部には、軸部の回転をロックするロック手段が設けられており、係合部が被係合部に係合された状態で軸部の回転がロックされることで、足載せ部がベース部材の所定の位置で固定される。これにより、操作部の操作により、足載せ部をベース部材の任意のスライド高さに調整することができる。
【００１０】
請求項３に記載の発明は、請求項１又は請求項２に記載の子供乗せ装置において、前記子供乗せ装置本体は、前記座部の後方側に設けられた背凭れ部と、前記座部の両サイドに設けられ、かつ前記背凭れ部から両サイドへ延設された側面部と、前記側面部の前方に設けられた前面部と、前記前面部と前記座部との間に設けられ、前記座部に着席した子供の脚部が挿通される開口部と、を備え、前記足載せ部は、前記子供乗せ装置本体を荷物籠として用いるときは前記ベース部材の上部にスライドさせて前記開口部を塞ぎ、前記座部に子供が着席するときは前記ベース部材の下方側へスライドさせて子供の足を載置することを特徴としている。
【００１１】
請求項３に記載の発明では、座部の後方側に背凭れ部が設けられており、座部の両サイドに背凭れ部から両サイドへ延設された側面部が設けられている。また、側面部の前方に設けられた前面部と座部との間に開口部が設けられているので、座部に子供が着席したときに、子供の脚部を開口部に挿通させることができ、さらにベース部材に沿って足載せ部を下方側へスライドさせることで、座部に着席した子供の足を足載せ部に載置することができる。また、子供乗せ装置本体を荷物籠として用いるときは、ベース部材に沿って足載せ部を上部へスライドさせることで、開口部が塞がれ、子供乗せ装置本体に荷物を入れることができる。このため、簡単な構成により、子供が着席可能な椅子機能と、荷物を入れる荷物籠としての機能を兼用した子供乗せ装置を実現できる。また、足載せ部をスライドさせるという１つの機構で、荷物籠と子供乗せの切替えと、子供乗せの時の足載せ部の高さ調整という２つの機能を持たせることが可能となる。
【００１２】
請求項４に記載の発明は、請求項１又は請求項２に記載の子供乗せ装置において、前記被係合部は、前記ベース部材の裏面に格子状に形成された板材であり、前記係合部は、前記板材と面接する平面部と、前記平面部の終端から円弧状を描き前記板材と前記板材との間へ挿入される円弧部と、を備えた長方ブロックであり、前記高さ調整手段は、前記平面部が前記板材と面接する方向へ前記長方ブロックを回動させる付勢部材をさらに備えることを特徴としている。
【００１３】
請求項４に記載の発明では、被係合部は、ベース部材の裏面に格子状に形成された板材であるので、ベース部材の剛性を確保できる。また、係合部は、板材と面接する平面部と、平面部の終端から円弧状を描く円弧部と、を備えた長方ブロックであり、付勢部材によって、平面部が板材と面接する方向へ長方ブロックが回動される。これにより、円弧部が板材と板材との間へ入り込むので、長方ブロックと板材との係合力が大きくなる。
【００１４】
請求項５に記載の発明は、請求項４に記載の子供乗せ装置において、前記長方ブロックの回動中心部から延出され、前記長方ブロックと前記板材との係合が解除されたとき、前記板材の頂部に当たって前記長方ブロックの回動量を制限するストッパを有することを特徴としている。
【００１５】
請求項５に記載の発明では、長方ブロックの回動中心部から延出されるストッパが設けられているので、長方ブロックと板材との係合が解除されたとき、ストッパが板材の頂部に当たって長方ブロックの回動量を制限する。これにより、足載せ部をベース部材に沿ってスライドさせるときに、付勢部材の力又は操作部の操作により長方ブロックが必要な回動量以上に回動することを防止できる。
【００１６】
請求項６に記載の発明は、二輪車本体に取り付けられた子供乗せ装置であって、子供が着席可能な座部を備えた子供乗せ装置本体と、前記座部の前方から下方側又は斜め下方側に延びたベース部材と、前記ベース部材に沿ってスライド可能に設けられ、前記座部に着席した子供の足が載置される足載せ部と、前記足載せ部に操作部を備え、前記足載せ部を前記ベース部材の任意のスライド高さで固定する高さ調整手段と、を有すると共に、前記高さ調整手段は、前記ベース部材の側部に設けられた複数の被係合孔と、前記足載せ部の前記側部と対向する位置に設けられ、前記操作部が回動可能に支持された支持部と、前記操作部に設けられ、前記支持部に設けられた孔部を貫通すると共に、前記被係合孔に係合可能な係合ピンと、を有することを特徴としている。
【００１７】
請求項６に記載の発明では、子供乗せ装置本体には座部が設けられており、座部に子供が着席することができる。座部の前方から下方側又は斜め下方側にベース部材が延びており、子供の足が載置される足載せ部がベース部材に沿ってスライド可能に設けられている。足載せ部には操作部を備えており、操作部を操作することで高さ調整手段により足載せ部がベース部材の任意のスライド高さで固定される。これにより、足載せ部をベース部材の任意のスライド高さで固定して、座部に着席した子供の足を足載せ部に載置することができる。このため、子供の身長や足の位置に応じて、足載せ部を適切な高さに調整することができる。
また、高さ調整手段には、ベース部材の側部に複数の被係合孔が設けられており、ベース部材の側部と対向する足載せ部に設けられた支持部に操作部が回動可能に支持されている。操作部には係合ピンが設けられており、係合ピンを支持部に設けられた孔部に貫通させると共に、ベース部材の側部の被係合孔のいずれか１つに係合させることにより、足載せ部が所定のスライド位置でベース部材に固定される。一方、足載せ部のスライド高さを調整する際は、操作部の係合ピンをベース部材の側部の被係合孔及び支持部の孔部から引き抜いて、操作部を回動させる。この状態で、足載せ部をベース部材に沿ってスライドさせる。そして、足載せ部を所望の高さにスライドさせて、操作部の係合ピンを支持部の孔部に貫通させると共に、ベース部材の側部の被係合孔に係合させることで、足載せ部がベース部材に固定される。このため、操作部の操作により、足載せ部をベース部材の任意のスライド高さに容易に調整することができる。
【００１８】
請求項７に記載の発明は、請求項６に記載の子供乗せ装置において、前記支持部に設けられ、前記操作部の回動を規制する規制部を備えることを特徴としている。
【００１９】
請求項７に記載の発明では、支持部に操作部の回動を規制する規制部が設けられており、操作部の係合ピンをベース部材の側部の被係合孔及び支持部の孔部から引き抜いて操作部を回動させたときに、規制部によって操作部の回動が規制される。この状態で、足載せ部をベース部材に沿ってスライドさせることができ、操作性が向上する。
【００２０】
請求項８に記載の発明は、請求項７に記載の子供乗せ装置において、前記高さ調整手段は、前記ベース部材に設けられた複数の被係合部と、前記足載せ部の両側に形成された前記支持部に回転可能に設けられ、前記操作部と連結される軸部と、前記軸部に設けられ、前記被係合部と係合される係合部と、をさらに備え、前記係合ピンが、前記孔部を貫通すると共に、前記被係合孔に係合されたときに、前記係合部が前記被係合部に係合され、前記操作部が、前記規制部により回動を規制されたときに、前記係合部と前記被係合部との係合が解除されることを特徴としている。
【００２１】
請求項８に記載の発明では、高さ調整手段には、ベース部材に複数の被係合部が設けられており、足載せ部の両側に形成された支持部には、操作部と連結される軸部が回転可能に設けられている。軸部には係合部が設けられており、係合部が被係合部に係合可能となっている。そして、操作部の操作により、係合ピンが、孔部を貫通すると共に、被係合孔に係合されたときに、係合部が被係合部に係合される。これにより、足載せ部をベース部材の所定のスライド高さで強固に固定することができる。また、操作部の操作により、操作部が規制部により回動を規制されたときに、係合部と被係合部との係合が解除される。この状態で、足載せ部をベース部材に沿ってスライドさせることができる。
【００２２】
請求項９に記載の発明は、二輪車本体に取り付けられた子供乗せ装置であって、子供が着席可能な座部を備えた子供乗せ装置本体と、前記座部の前方から下方側又は斜め下方側に延びたベース部材と、前記ベース部材に沿ってスライド可能に設けられ、前記座部に着席した子供の足が載置される足載せ部と、前記足載せ部に操作部を備え、前記足載せ部を前記ベース部材の任意のスライド高さで固定する高さ調整手段と、を有すると共に、前記高さ調整手段は、前記ベース部材に設けられ、２つの異なる形状の被係合手段により形成された複数の被係合手段と、前記足載せ部に設けられ、前記操作部により操作されると共に、異なる形状の前記被係合手段にそれぞれ係合される異なる形状の２つの係合手段と、を備え、一方の前記係合手段が一方の形状の前記複数の被係合手段のいずれか１つに係合し、他方の前記係合手段が他方の形状の前記複数の被係合手段のいずれか１つに係合することで、任意の高さで前記足載せ部が固定されることを特徴としている。
【００２３】
請求項９に記載の発明では、子供乗せ装置本体には座部が設けられており、座部に子供が着席することができる。座部の前方から下方側又は斜め下方側にベース部材が延びており、子供の足が載置される足載せ部がベース部材に沿ってスライド可能に設けられている。足載せ部には操作部を備えており、操作部を操作することで高さ調整手段により足載せ部がベース部材の任意のスライド高さで固定される。これにより、足載せ部をベース部材の任意のスライド高さで固定して、座部に着席した子供の足を足載せ部に載置することができる。このため、子供の身長や足の位置に応じて、足載せ部を適切な高さに調整することができる。
また、高さ調整手段として、ベース部材には、２つの異なる形状の被係合手段により形成された複数の被係合手段が設けられており、足載せ部には、操作部により操作されると共に異なる形状の被係合手段にそれぞれ係合される異なる形状の２つの係合手段が設けられている。そして、操作部を操作して一方の係合手段が一方の形状の複数の被係合手段のいずれか１つに係合し、他方の係合手段が他方の形状の複数の被係合手段のいずれか１つに係合することで、ベース部材の任意の高さで足載せ部が固定される。また、操作部を操作して一方の係合手段と一方の形状の被係合手段との係合を解除すると共に、他方の係合手段と他方の形状の被係合手段との係合を解除することで、ベース部材に対して足載せ部がスライド可能となる。このため、簡単な構成により、足載せ部をベース部材の任意のスライド高さに調整することができる。
【００２４】
請求項１０に記載の発明に係る二輪車は、二輪車本体に請求項１から請求項９までのいずれか１項に記載の子供乗せ装置が取り付けられていることを特徴としている。
【００２５】
請求項１０に記載の発明に係る二輪車では、二輪車本体に請求項１から請求項９までのいずれか１項に記載の子供乗せ装置が取り付けられているので、足載せ部をベース部材の任意のスライド高さで固定して、座部に着席した子供の足を足載せ部に載置することができる。このため、子供の身長や足の位置に応じて、足載せ部を適切な高さに調整することができる。
【発明の効果】
【００２６】
請求項１の発明に係る子供乗せ装置では、子供の身長や足の位置に合わせて足載せ部を適切な高さに調整することができる。また、構成を複雑化することなく、足載せ部をベース部材の所定のスライド高さに調整することができる。
【００２７】
請求項２の発明に係る子供乗せ装置では、子供の身長や足の位置に合わせて足載せ部を適切な高さに調整することができる。また、構成を複雑化することなく、足載せ部をベース部材の所定のスライド高さに調整することができる。
【００２８】
請求項３の発明に係る子供乗せ装置では、簡単な構成により、子供が着席可能な椅子機能と、荷物を入れる荷物籠としての機能を兼用した子供乗せ装置を実現できる。
【００２９】
請求項４の発明に係る子供乗せ装置では、円弧部が板材と板材との間へ入り込むので、長方ブロックと板材との係合力が大きくなる。
【００３０】
請求項５の発明に係る子供乗せ装置では、足載せ部をベース部材に沿ってスライドさせるときに、長方ブロックの回動量を制限することができる。
【００３１】
請求項６の発明に係る子供乗せ装置では、子供の身長や足の位置に合わせて足載せ部を適切な高さに調整することができる。また、構成を複雑化することなく、操作部の操作により足載せ部をベース部材の所定のスライド高さに調整することができる。
【００３２】
請求項７の発明に係る子供乗せ装置では、足載せ部をベース部材に沿ってスライドさせるときに、操作部の回動を規制することができ、操作性が向上する。
【００３３】
請求項８の発明に係る子供乗せ装置では、足載せ部をベース部材の所定のスライド高さで強固に固定することができる。
【００３４】
請求項９の発明に係る子供乗せ装置では、子供の身長や足の位置に合わせて足載せ部を適切な高さに調整することができる。また、簡単な構成により、足載せ部をベース部材の所定のスライド高さに調整することができる。
【００３５】
請求項１０の発明に係る二輪車では、子供の身長や足の位置に合わせて足載せ部を適切な高さ調整することができる。
【発明を実施するための最良の形態】
【００３６】
〔第１実施形態〕
以下、本発明の第１実施形態である子供乗せバスケットを図面に基づいて説明する。
【００３７】
図１には、本発明の第１実施形態であるバスケットを兼用した子供乗せバスケット１０が取り付けられた二輪車１が示されている。
【００３８】
二輪車１には、前輪３側にヘッドパイプ２が配設されている。ヘッドパイプ２の上部には、子供乗せバスケット１０に設けられた子供乗せバスケット本体１２の下部が取付金具４によって固定支持されている。ヘッドパイプ２の上部には、ハンドルバー６が子供乗せバスケット本体１２の両側に略逆Ｌ字状に延びるように配設されている。
【００３９】
図２〜図５に示されるように、子供乗せバスケット本体１２は、子供が着席可能な座部１２Ａと、この座部１２Ａの後方部に斜め後方側へ傾斜するように立設された背凭れ部１２Ｂと、この背凭れ部１２Ｂから座部１２Ａの両サイドを囲むように連続して立設された側面部１２Ｃと、両サイドの側面部１２Ｃの前方側に掛け渡された前面部１２Ｅと、を備えている。座部１２Ａと背凭れ部１２Ｂと側面部１２Ｃと前面部１２Ｅは連続した湾曲面を形成するように一体的に設けられている。前面部１２Ｅと座部１２Ａとの間には、座部１２Ａに子供が着席したときに脚部が挿通される開口部１２Ｆが設けられている（図３を参照）。
【００４０】
座部１２Ａの前方側には、開口部１２Ｆと対向する位置に、子供の足が置載される足載せ部１４が設けられている。座部１２Ａの前方下部には斜め下方側に傾斜するようにベース部材１６が配設されており、ベース部材１６に沿って足載せ部１４がスライド可能となっている。この足載せ部１４等の構成については後に詳述する。座部１２Ａの前端部と前面部１２Ｅの下部との間には、開口部１２Ｆに跨るように連結部材４０が設けられている。連結部材４０により子供乗せバスケット本体１２が補強されると共に、子供が座部１２Ａに着席したときに子供の脚部が連結部材４０の両側に挿通され、子供が座部１２Ａからズレ落ちるのを防止することができる。
【００４１】
子供乗せバスケット本体１２の背凭れ部１２Ｂの内側面（前方側の面）の上方部には、子供乗せバスケット本体１２の内側面と一部が重なり合うようにヘッドガード２０が配設されている。このヘッドガード２０は、子供乗せバスケット本体１２に着席した子供の頭部を保護するものであり、上下方向にスライド可能となっている。また、側面部１２Ｃの前方側の上部には、前面部１２Ｅの後方側に、子供が握ることができ、また子供の前方側をガードする握り部材２２が掛け渡されている（図４等を参照）。握り部材２２を設けることで、子供が着座したときに握り部材２２を握って自身の身体を支えることができ、子供に安心感を与えることができる。なお、図示を省略するが、握り部材２２は両端部の軸部を支点として前後方向に回動可能に構成されている。
【００４２】
子供乗せバスケット本体１２は、背凭れ部１２Ｂの高さよりも側面部１２Ｃの中間部後方側の高さが最も高く、側面部１２Ｃの前方側の高さが徐々に低くなるように形成されている。また、側面部１２Ｃよりも前面部１２Ｅの高さが低くなるように形成されており、前面部１２Ｅの上部には、凹状の湾曲面を有する凹状部１３が形成されている。前面部１２Ｅの上部における凹状部１３の縁部には、剛性を有する透過性の樹脂で形成されたカウリング２４が取り付けられている。カウリング２４は、前面部１２Ｅの上方側に突出するように設けられている。
【００４３】
図５に示されるように、足載せ部１４は、平面視にて断面が略Ｕ字状に形成されており、足載せ面となる底面部１４Ａと、両サイドの側壁部１４Ｂと、ベース部材１６の前面部に沿ってスライド可能な後面部１４Ｃと、を備えている。足載せ部１４の後面部１４Ｃの背面には、幅方向両側に後方側へ突出する１対の取付部１４Ｄが設けられている。取付部１４Ｄには、ベース部材１６の背面側で幅方向内側へ突出する突片１４Ｅが設けられており、後面部１４Ｃと取付部１４Ｄと突片１４Ｅとでベース部材１６を両サイドから挟み込むことで、足載せ部１４がベース部材１６に沿って上下方向にスライド可能となっている。
【００４４】
図６〜図９に示されるように、子供乗せバスケット１０には、足載せ部１４をベース部材１６の任意のスライド高さで固定する高さ調整装置５０が設けられている。高さ調整装置５０は、足載せ部１４の側方、取付部１４Ｄの両側に足載せ部１４の高さを調整するときに操作される操作部５２を備えている。操作部５２には、ベース部材１６の裏面側（背面側）に幅方向に沿って掛け渡された軸部５４が連結されている。軸部５４は、取付部１４Ｄに形成された円形の孔に挿通され、取付部１４Ｄに対して回転可能となっている。
【００４５】
ベース部材１６の裏面（背面）には、上下方向及び幅方向に沿って複数の凹部５６が設けられている。凹部５６は、格子状に配置された横板材５６Ａと縦板材５６Ｂとで囲まれている。横板材５６Ａは、斜め方向に配置されたベース部材１６に対して略水平方向に形成されており、上下方向に複数配置されることで請求項３の複数の被係合部として機能する（図８を参照）。縦板材５６Ｂは、ベース部材１６の裏面に沿って平面視にて横板材５６Ａと直交する方向に複数配置されている（図６を参照）。横板材５６Ａと縦板材５６Ｂを格子状に配置することによりベース部材１６の剛性を高めることができる。
【００４６】
軸部５４の中央部には、軸部５４の半径方向に突出する長方ブロック５８が固定されている。長方ブロック５８は、横板材５６Ａに面接することによって係合される平面部５８Ａと、平面部５８Ａの終端から円弧状を描くように形成された円弧部５８Ｂと、を備えている。長方ブロック５８の平面部５８Ａが請求項３の係合部として機能する。円弧部５８Ｂは、平面部５８Ａが横板材５６Ａと面接したときに、この横板材５６Ａとその上部の横板材５６Ａとの間に挿入される大きさ及び形状に設定されている。円弧部５８Ｂには、軸部５４の回転により長方ブロック５８が回動したときにベース部材１６の縦板材５６Ｂと干渉しないように、周方向に沿って溝５８Ｄが形成されている。
【００４７】
軸部５４には、長方ブロック５８と取付部１４Ｄとの間に、長方ブロック５８の平面部５８Ａが横板材５６Ａと面接する方向へ長方ブロック５８を回動させる付勢部材としてのコイルスプリング６０が装着されている。また、長方ブロック５８の円弧部５８Ｂと反対側には、回転中心部から延出されたストッパ５８Ｃが設けられている。このストッパ５８Ｃは、長方ブロック５８と横板材５６Ａとの係合が外れたときに、横板材５６Ａの頂部に当たって長方ブロック５８の回動量を制限するように構成されている。
【００４８】
図９に示されるように、操作部５２は、軸部５４に固定される円柱部６２と、円柱部６２の周囲に外挿されるロック手段としての筒状のダイヤル部６４と、を備えている。円柱部６２には、周面に軸方向に沿って複数の溝部６２Ａが形成されている。溝部６２Ａは、円柱部６２の周面から円弧状に凹んでおり、周面にほぼ等間隔に４本形成されている。また、ダイヤル部６４は、内周面に軸方向に沿って溝部６２Ａと係合される４本の凸部６４Ａが形成されている。凸部６４Ａは、内周面から円弧状に突出しており、溝部６２Ａと合致する位置に形成されている。ダイヤル部６４は、円柱部６２の幅方向外側から凸部６４Ａを溝部６２Ａに係合させて軸方向にスライドさせることで、円柱部６２の周面に装着することができる。また、ダイヤル部６４の軸方向の内側端面には、軸方向に突出する突出部６４Ｂが設けられている。本実施形態では、突出部６４Ｂはダイヤル部６４の対向する位置に２個設けられている。突出部６４Ｂは、略三日月状に形成されており、内側に凸部６４Ａが延長して設けられている。突出部６４Ｂの外側は円弧状に形成されており、この円弧状の面は、ダイヤル部６４の外周面よりも小さな半径に設定されている。
【００４９】
取付部１４Ｄには、突出部６４Ｂが挿入される円形状の孔６６が形成されている。図１０に示されるように、ダイヤル部６４を円柱部６２の軸方向内側にスライドさせて、ダイヤル部６４の突出部６４Ｂを取付部１４Ｄの孔６６に挿入することで、軸部５４の回転がロックされるようになっている。
【００５０】
また、図２〜図５に示されるように、ヘッドガード２０は、着席した子供の後頭部と対向する後方部２０Ａと、後方部２０Ａから子供の側頭部に沿って両サイド側に湾曲するように延びた翼部２０Ｂと、後方部２０Ａの中央部から下方側に延びた下方延設部２０Ｃと、を備えている。また、子供乗せバスケット１０には、ヘッドガード２０を子供乗せバスケット本体１２の内側面に沿って上下方向にスライドさせて所定の位置で固定する高さ調整装置３０が設けられている。高さ調整装置３０は、子供乗せバスケット本体１２の背凭れ部１２Ｂの中央部に上下方向に沿って形成された凹状のレール部１２Ｄを備えており、またヘッドガード２０の背面側に、子供乗せバスケット本体１２のレール部１２Ｄに挿入される凸状の摺動部２０Ｄを備えている。そして、レール部１２Ｄに沿って摺動部２０Ｄが移動することで、ヘッドガード２０が子供乗せバスケット本体１２に対して上下方向にスライド可能となっている。また、高さ調整装置３０は、子供乗せバスケット本体１２の背面側に回転可能に設けられた調整ノブ３６を備えており、調整ノブ３６をロック位置に回動させることで、ヘッドガード２０が子供乗せバスケット本体１２に固定され、調整ノブ３６をロック解除位置に回動させることで、ヘッドガード２０を子供乗せバスケット本体１２に対してスライドさせることができる。
【００５１】
これによって、子供の成長や異なる身長の子供の体格に合わせて、ヘッドガード２０を子供乗せバスケット本体１２に対して上下方向にスライドさせて、適切な高さに調整することができ、子供の頭部を適切に保護することができる。
【００５２】
子供乗せバスケット１０は、子供乗せバスケット本体１２に子供が着席することができる椅子としての機能と、子供乗せバスケット本体１２に荷物を入れることができる荷物籠としての機能とを兼用した構成となっている。なお、本実施形態では、ベース部材１６に設けられた複数の横板材５６Ａが請求項９の複数の被係合手段として機能しており、また、長方ブロック５８の平面部５８Ａが請求項９の係合手段として機能している。
【００５３】
次に、上記のような構成の子供乗せバスケット１０の作用について説明する。
【００５４】
図１０に示されるように、ダイヤル部６４は、凸部６４Ａを円柱部６２の溝部６２Ａに係合した状態で円柱部６２に外挿されており、ダイヤル部６４の突出部６４Ｂが取付部１４Ｄの孔６６に挿入されている。これにより、軸部５４の回転がロックされている。この状態で、長方ブロック５８の平面部５８Ａが、ベース部材１６の凹部５６の横板材５６Ａに面接して係合されることにより、足載せ部１４がベース部材１６の所定の高さで固定されている。
【００５５】
図１１に示されるように、足載せ部１４の高さを調整するときは、操作部５２のダイヤル部６４を円柱部６２に対して軸方向外側にスライドさせる。これにより、ダイヤル部６４の突出部６４Ｂが取付部１４Ｄの孔６６から外れて軸部５４のロックが解除され、軸部５４が回転可能となる。このとき、軸部５４に装着されたコイルスプリング６０によって、長方ブロック５８の平面部５８Ａがベース部材１６の横板材５６Ａに係合する方向へ長方ブロック５８が回動しており、平面部５８Ａが横板材５６Ａに係合した状態となっている。
【００５６】
図１２〜図１４に示されるように、足載せ部１４をベース部材１６に沿って下方側へスライドさせると、軸部５４がコイルスプリング６０の力に抗して図中左回りに回転し、長方ブロック５８の平面部５８Ａとベース部材１６の横板材５６Ａとの係合が解除される。そして、足載せ部１４の下方側へのスライドにより、長方ブロック５８の平面部５８Ａがベース部材１６の下方側の凹部５６に移動すると、コイルスプリング６０の力によって、長方ブロック５８の平面部５８Ａが凹部５６の横板材５６Ａに係合する方向に軸部５４が回転し、平面部５８Ａが横板材５６Ａに係合する。この動作を繰り返すことにより、長方ブロック５８の平面部５８Ａが下方側の凹部５６に順次移動する。これにより、足載せ部１４をベース部材１６に沿って下方側の任意の位置へスライドさせることができる。
【００５７】
また、長方ブロック５８の平面部５８Ａと横板材５６Ａとの係合が解除されたとき、ストッパ５８Ｃが横板材５６Ａの頂部に当たることで、長方ブロック５８の回動量が制限される。このため、足載せ部１４のベース部材１６に沿ってスライドさせるときに、コイルスプリング６０の力又は操作部５２の操作により長方ブロック５８が必要な回動量以上に回動することを防止できる。
【００５８】
そして、足載せ部１４が適切な高さとなったところで、操作部５２のダイヤル部６４を円柱部６２に対して軸方向内側にスライドさせ、ダイヤル部６４の突出部６４Ｂを取付部１４Ｄの孔６６に挿入する。これにより、軸部５４の回転がロックされる。このとき、コイルスプリング６０の力によって、長方ブロック５８の平面部５８Ａが凹部５６の横板材５６Ａに係合されることで、足載せ部１４がベース部材１６の任意の高さで固定される。
【００５９】
また、足載せ部１４をベース部材１６の上方側へスライドさせるときは、操作部５２のダイヤル部６４を軸方向外側へスライドさせて、軸部５４の回転のロックを解除した状態で、操作部５２のダイヤル部６４をコイルスプリング６０の付勢力に抗して回転させる。これにより、長方ブロック５８の平面部５８Ａとベース部材１６の横板材５６Ａとの係合が解除される。この状態で、操作部５２のダイヤル部６４を保持したまま、足載せ部１４をベース部材１６に沿って上方側へ移動させる。そして、足載せ部１４の高さが適切な高さとなったところで、操作部５２のダイヤル部６４を放すとコイルスプリング６０の付勢力で長方ブロック５８が回動し、ベース部材１６の横板材５６Ａと係合する。または、ダイヤル部６４をコイルスプリング６０の付勢力と同じ方向に回転させれば、確実に長方ブロック５８とベース部材１６の横板材５６Ａを係合させることができる。さらに、操作部５２のダイヤル部６４を円柱部６２に対して軸方向内側にスライドさせ、ダイヤル部６４の突出部６４Ｂを取付部１４Ｄの孔６６に挿入する。これにより、軸部５４の回転がロックされる。このとき、長方ブロック５８の平面部５８Ａがベース部材１６の横板材５６Ａに係合されることで、足載せ部１４がベース部材１６の任意の高さで固定される。また、上方側へスライドさせる方法にてスライド方向を下方側とすれば、前述とは別の方法による下方側へのスライド方法としても成り立つ。
【００６０】
図３及び図５に示されるように、子供乗せバスケット本体１２に子供が着席するときは、操作部５２の操作によって足載せ部１４をベース部材１６に沿って下方側へスライドさせて任意の位置で固定することにより、子供が子供乗せバスケット本体１２の座部１２Ａに着席し、子供乗せバスケット本体１２の開口部１２Ｆに脚部を挿通させて足載せ部１４に足を載置することができる。このため、子供の身長や足の位置に応じて、足載せ部１４を適切な高さに調整することができる。また、足載せ部１４の側方の取付部１４Ｄに操作部５２が設けられているので、足載せ部１４の高さを調整するときに足載せ部１４の側方から操作部５２を操作しやすく、操作性が良い。
【００６１】
また、図２及び図４に示されるように、子供乗せバスケット本体１２を荷物籠として使用するときは、操作部５２の操作によって足載せ部１４をベース部材１６の最上部へスライドさせて固定することにより、開口部１２Ｆが塞がり、子供乗せバスケット本体１２内に荷物を入れることができる。
【００６２】
〔第２実施形態〕
以下、本発明の第２実施形態である子供乗せバスケットを図面に基づいて説明する。なお、前述した第１実施形態と同一構成部分については、同一番号を付してその説明を省略する。
【００６３】
図１５及び図１６には、本発明の第２実施形態であるバスケットを兼用した子供乗せバスケット８０の足載せ部８２及びベース部材８４が示されている。足載せ部８２は、ベース部材８４の前面部に沿ってスライド可能な後面部１４Ｃを備えており、後面部１４Ｃの背面の幅方向両側には、後方側（子供乗せバスケット８０の後方側）へ突出する１対の支持部８２Ａが設けられている（図１５では右サイドのみ示されている。）。支持部８２Ａの後方側には、幅方向内側へ突出する突片１４Ｅが設けられており、後面部１４Ｃと支持部８２Ａと突片１４Ｅとでベース部材８４の側部８４Ａを両サイドから挟み込むことで、足載せ部８２がベース部材８４に沿って上下方向にスライド可能となっている。
【００６４】
子供乗せバスケット８０には、足載せ部８２をベース部材８４の任意のスライド高さで固定する高さ調整装置８６が設けられている。高さ調整装置８６は、支持部８２Ａの両側に足載せ部８２の高さを調整するときに操作される操作部８８を備えている（図１５では右サイドのみ示されている。）。
【００６５】
図１５〜図１７に示されるように、操作部８８には、ベース部材８４の裏面側（背面側）に幅方向に沿って掛け渡された軸部５４が連結されており、軸部５４は、支持部８２Ａに形成された円筒状の筒部９６の孔に挿通され、支持部８２Ａに対して回転可能となっている。操作部８８は、内挿部材９０と、内挿部材９０に外挿される筒状のダイヤル部９２と、内挿部材９０とダイヤル部９２との間に配置される付勢部材としてのコイルスプリング９４と、を備えている。内挿部材９０は、軸部５４に固定される軸部材９０Ａと、この軸部材９０Ａの端部に円柱部９０Ｂと、を備えている。コイルスプリング９４は、軸部材９０Ａに巻回されている。ダイヤル部９２は、軸方向内側（子供乗せバスケット８０の幅方向内側）に内径側に突出する壁部９３を備えており、壁部９３の端面は円形状の開口９３Ａとなっている。
【００６６】
操作部８８を組み立てる際には、ダイヤル部９２が内挿部材９０に軸方向内側（子供乗せバスケット８０の幅方向内側）から外挿されて、円柱部９０Ｂの外周面に形成された複数の溝部６２Ａに、ダイヤル部９２の内周面に形成された複数の凸部６４Ａが係合される。これによって、コイルスプリング９４が、ダイヤル部９２の壁部９３と内挿部材９０の円柱部９０Ｂとの間に配置される。支持部８２Ａの外側面には、円筒状の筒部９６が立設されており、筒部９６の周囲にダイヤル部９２の壁部９３が外挿されると共に、軸部５４に軸部材９０Ａが連結される。
【００６７】
ダイヤル部９２の外周面には、半径方向に延びた延設部９２Ａが形成されており、延設部９２Ａの支持部８２Ａ側の面には、支持部８２Ａ側（子供乗せバスケット８０の幅方向内側）に突出する係合ピン９８が設けられている。係合ピン９８の根元には係合ピン９８の先端側よりも径が拡大した円形状の根元部９８Ａが形成されている。足載せ部８２の支持部８２Ａには、係合ピン９８が貫通される円形状の孔部１００が設けられている。孔部１００は、係合ピン９８の根元部９８Ａが挿入可能な大きさに形成されている。さらに、ベース部材８４の側部８４Ａには、係合ピン９８が係合される複数の係合孔１０２が所定の間隔で設けられている。この構成では、係合ピン９８が請求項６の係合ピンとして機能し、複数の係合孔１０２が請求項６の複数の被係合孔として機能する。
【００６８】
図１６に示されるように、ダイヤル部９２の壁部９３の支持部８２Ａ側の面には、支持部８２Ａ側（子供乗せバスケット８０の幅方向内側）に突出する複数のピン９２Ｂが設けられている。また、足載せ部８２の支持部８２Ａには、係合ピン９８が係合孔１０２に係合されたときに、複数のピン９２Ｂがそれぞれ係合される複数の孔部１０４が設けられている。本実施形態では、３本のピン９２Ｂと３個の孔部１０４が設けられている。
【００６９】
図１６〜図１９に示されるように、内挿部材９０の軸部材９０Ａが軸部５４に連結されると共に、ダイヤル部９２の壁部９３が支持部８２Ａの筒部９６に外挿されることにより、ダイヤル部９２は、壁部９３が筒部９６に支持された状態で軸部５４と一体で回動可能となっている。コイルスプリング９４は、係合ピン用付勢部材として機能しており、ダイヤル部９２の壁部９３を支持部８２Ａ側に付勢する。すなわち、コイルスプリング９４の付勢力によって、ダイヤル部９２の係合ピン９８が、支持部８２Ａの孔部１００を貫通すると共に、ベース部材８４の側部８４Ａに設けられた複数の係合孔１０２の何れか一つに係合するようになっている。
【００７０】
支持部８２Ａの外側面には、孔部１００の後方側（子供乗せバスケット８０の後方側）に、係合ピン９８に当接可能な規制部１０６が突設されている。そして、操作部８８の回動により、係合ピン９８が規制部１０６と当接することで、操作部８８の回動を規制するようになっている。
【００７１】
軸部５４の中央部には、軸部５４の半径方向に突出する係合部としての長方ブロック１１０が固定されている。長方ブロック１１０は、横板材５６Ａに面接することによって係合される平面部５８Ａと、平面部５８Ａの終端から円弧状を描くように形成された円弧状部１１０Ａと、を備えている。ベース部材８４の複数の係合孔１０２の位置、及び長方ブロック１１０とベース部材８４の凹部５６（格子状に配置された横板材５６Ａと縦板材５６Ｂ）との位置関係は、長方ブロック１１０がベース部材８４の凹部５６と完全に係合した状態において、係合ピン９８を係合できる位置に係合孔１０２が設定されている。
【００７２】
第１実施形態と同様に長方ブロック１１０の円弧状部１１０Ａの大きさは凹部５６に丁度収まる寸法に設定されている。言い換えると、長方ブロック１１０は円弧状部１１０Ａの上下の半径方向すなわち横板材５６Ａの間隔方向に対してわずかな隙間をもって凹部５６に係合する。
【００７３】
すなわち、ダイヤル部９２をまわして長方ブロック１１０をベース部材８４の凹部５６に係合させると自動的に係合ピン９８と係合孔１０２の位置も合うことになる。長方ブロック１１０と凹部５６は係合ピン９８と係合孔１０２の位置決め機能も兼ね備えている。なお、本実施形態では、ベース部材８４に設けられた複数の係合孔１０２が請求項９の複数の被係合手段として機能しており、係合ピン９８が請求項９の係合手段として機能している。
【００７４】
次に、上記のような構成の子供乗せバスケット８０の作用について説明する。
【００７５】
図１５に示されるように、足載せ部８２のスライド高さを調整する際は、子供乗せバスケット８０の幅方向両側に設けられた操作部８８のダイヤル部９２をコイルスプリング９４の付勢力に抗して子供乗せバスケット８０の幅方向外側へ引っ張り、係合ピン９８をベース部材８４の側部８４Ａの係合孔１０２及び支持部８２Ａの孔部１００から引き抜く。この状態で、ダイヤル部９２を子供乗せバスケット８０の後方側へ回動させる。ダイヤル部９２の回動により、コイルスプリング６０の付勢力に抗して軸部５４が回動し、軸部５４に固定された長方ブロック１１０が回動する。
【００７６】
図１９に示されるように、ダイヤル部９２を子供乗せバスケット８０の後方側へ回動させると、ダイヤル部９２の係合ピン９８が支持部８２Ａの規制部１０６に当接し、ダイヤル部９２の回動が規制される。その際、長方ブロック１１０の平面部５８Ａがベース部材８４の横板材５６Ａから完全に外れた状態となる。この状態で、足載せ部８２をベース部材８４に沿ってスライドさせることができる。
【００７７】
そして、足載せ部８２を所望の高さにスライドさせて、ダイヤル部９２を子供乗せバスケット８０の前方側へ回動させ、ダイヤル部９２の係合ピン９８をコイルスプリング９４の付勢力によって、支持部８２Ａの孔部１００に貫通させると共に、ベース部材８４の側部８４Ａの何れか一つの係合孔１０２に係合させる（図２０に示す状態）。この状態では、係合ピン９８の根元部９８Ａが孔部１００に挿入されると共に、ダイヤル部９２の３本のピン９２Ｂがそれぞれ支持部８２Ａの孔部１０４に係合される。これによって、足載せ部８２が所定のスライド高さでベース部材８４に固定される。
【００７８】
また、ダイヤル部９２を子供乗せバスケット８０の前方側へ回動させることで、軸部５４が回動して長方ブロック１１０が回動し、図２０に示されるように、長方ブロック１１０がベース部材８４の凹部５６に係合された状態になると係合ピン９８と係合孔１０２の位置が自動的に決まる。
【００７９】
詳細に説明すると、ダイヤル部９２を前方側へ回動させると、長方ブロック１１０の平面部５８Ａがベース部材８４の直近の横板材５６Ａに接触し、さらに回動を続けると、平面部５８Ａが横板材５６Ａの縁を滑りながら長方ブロック１１０が凹部５６の奥へ回動して係合されていく。完全に係合した状態で長方ブロック１１０の位置は、スライドの上方向には円弧状部１１０Ａにより規制され、下方向には平面部５８Ａにより規制されている。
【００８０】
長方ブロック１１０により位置決めされているので、係合ピン９８を係合孔１０２に係合させるために孔の位置を目で見て合わせる必要は無く、簡単に係合させることができる。このため、係合ピン９８と長方ブロック１１０によって、足載せ部８２を所定のスライド高さでベース部材８４に強固にしかも簡単に固定することができる。
【００８１】
このようなダイヤル部９２の操作により、足載せ部８２をベース部材８４の任意のスライド高さに容易に調整することができる。また、係合ピン９８をベース部材８４の側部８４Ａの係合孔１０２及び支持部８２Ａの孔部１００から引き抜いてダイヤル部９２を回動させたときに、係合ピン９８が規制部１０６に当接してダイヤル部９２の回動が規制されるので、足載せ部８２がスライド可能になったことを容易に認識できる。そして、コイルスプリング９４の付勢力により係合ピン９８が支持部８２Ａに接触することで、ダイヤル部９２の回動位置が保持される。この状態で足載せ部８２をベース部材８４に沿ってスムーズにスライドさせることができ、操作性が良好である。
【００８２】
〔上述した実施形態の補足説明〕
なお、上記第１及び第２実施形態では、ベース部材１６、８４は、座部１２Ａの前方下部から斜め下方側に延びているが、これに限定されず、ベース部材が下方側に延びる構成であってもよい。
【００８３】
なお、上記第１及び第２実施形態では、ベース部材１６、８４に被係合部としての複数の凹部５６が設けられているが、凹部５６の形状や個数はこれに限定されず、他の構成でもよい。また、被係合部に係合する長方ブロック５８、１１０の形状もこれに限定されず、他の構成でもよい。また、ベース部材１６に複数の凸部を設け、操作部に当該凸部に係合可能な凹部を設ける構成でもよい。
【００８４】
また、上記第１実施形態では、操作部５２は、ダイヤル部６４を備え、ダイヤル部６４の突出部６４Ｂを取付部１４Ｄの孔６６に挿入して軸部５４の回転をロックしたが、ロック手段や操作部５２の形状はこれに限定されず、他の構成でもよい。
【００８５】
また、上記第２実施形態では、３本のピン９２Ｂと３個の孔部１０４が設けられているが、ピン９２Ｂと孔部１０４の個数はこれに限定されず、他の構成でもよい。また、ピン９２Ｂと孔部１０４を設けない構成でもよい。
【図面の簡単な説明】
【００８６】
【図１】本発明の第１実施形態である子供乗せバスケットが取り付けられた二輪車を示す側面図である。
【図２】本発明の第１実施形態である子供乗せバスケットの足載せ部をベース部材の最上部へスライドさせた状態を示す側面図である。
【図３】子供乗せバスケットの足載せ部をベース部材の最下部へスライドさせた状態を示す側面図である。
【図４】子供乗せバスケットの足載せ部をベース部材の最上部へスライドさせた状態を子供乗せバスケットの前方側から見た斜視図である。
【図５】子供乗せバスケットの足載せ部をベース部材の最下部へスライドさせた状態を子供乗せバスケットの前方側から見た斜視図である。
【図６】足載せ部をベース部材の任意の高さで固定する高さ調整装置を示す斜視図である。
【図７】足載せ部をベース部材の任意の高さで固定する高さ調整装置を示す平面図である。
【図８】高さ調整装置に設けられた長方ブロックをベース部材の凹部に係合させ、足載せ部をベース部材の任意の高さで固定した状態を示す側面図である。
【図９】高さ調整装置に設けられた操作部を示す分解斜視図である。
【図１０】操作部に連結された軸部の回転をロックした状態を示す断面図である。
【図１１】操作部のダイヤル部を操作して、軸部の回転のロックを解除した状態を示す斜視図である。
【図１２】足載せ部をベース部材の任意の高さにスライドさせる過程を示す側面図である。
【図１３】足載せ部をベース部材の任意の高さにスライドさせる過程を示す側面図である。
【図１４】足載せ部をベース部材の任意の高さにスライドさせる過程を示す側面図である。
【図１５】本発明の第２実施形態である子供乗せバスケットの足載せ部をベース部材の任意の高さで固定する高さ調整装置を示す斜視図である。
【図１６】図１５に示す高さ調整装置の分解斜視図である。
【図１７】図１５に示す高さ調整装置の他の方向から見た分解斜視図である。
【図１８】図１７に示す高さ調整装置の軸部を引き抜いた状態を示す分解斜視図である。
【図１９】係合ピンが支持部に形成された規制部に当接している状態を示す斜視図である。
【図２０】足載せ部がベース部材の任意のスライド高さで固定された状態を示す斜視図である。
【符号の説明】
【００８７】
１ 二輪車
１０ 子供乗せバスケット（子供乗せ装置）
１２ 子供乗せバスケット本体（子供乗せ装置本体）
１２Ａ 座部
１２Ｂ 背凭れ部
１２Ｃ 側面部
１２Ｅ 前面部
１２Ｆ 開口部
１４ 足載せ部
１４Ｄ 取付部
１６ ベース部材
５０ 高さ調整装置
５２ 操作部
５４ 軸部
５６ 凹部（被係合部）
５６Ａ 横板材
５８ 長方ブロック（係合部）
５８Ａ 平面部
５８Ｂ 円弧部
５８Ｃ ストッパ
６０ コイルスプリング（付勢部材）
６２ 円柱部
６４ ダイヤル部
６４Ｂ 突出部（ロック手段）
６６ 孔（ロック手段）
８０   子供載せバスケット
８２   足載せ部
８２Ａ 支持部
８４   ベース部材
８４Ａ 側部
８６   高さ調整装置
８８   操作部
９４   コイルスプリング
９８   係合ピン
１００ 孔部
１０２ 係合孔（被係合孔）
１０６ 規制部
１１０ 長方ブロック（係合部）
【図１】
0005101377.tif 000002
【図２】
0005101377.tif 000003
【図３】
0005101377.tif 000004
【図４】
0005101377.tif 000005
【図５】
0005101377.tif 000006
【図６】
0005101377.tif 000007
【図７】
0005101377.tif 000008
【図８】
0005101377.tif 000009
【図９】
0005101377.tif 000010
【図１０】
0005101377.tif 000011
【図１１】
0005101377.tif 000012
【図１２】
0005101377.tif 000013
【図１３】
0005101377.tif 000014
【図１４】
0005101377.tif 000015
【図１５】
0005101377.tif 000016
【図１６】
0005101377.tif 000017
【図１７】
0005101377.tif 000018
【図１８】
0005101377.tif 000019
【図１９】
0005101377.tif 000020
【図２０】
0005101377.tif 000021